(57)【要約】【課題】作業員が誤ってウインチロープを持っても、サブブーム装置のサブブーム先端部のシーブに掛けられたウインチロープに、作業員の手が巻き込まれることを防止できる巻き込まれ防止装置を提供することである。【解決手段】結束バンド２２は、サブブーム先端部の根元にリング２５を通して巻き付けられリング２５をサブブーム先端部に固定し、作業員の手がウインチロープ１８に巻き込まれるのを防止する保護カバー２３は、ウインチロープ１８を貫通して取り付けられ、紐２４の一方は保護カバー２３に固定され、他方は結束バンド２２により固定されたリング２５にカラビナ２６を介して着脱可能に取り付けられ、サブブーム装置のサブブーム先端部のシーブ１９に掛けられたウインチロープ１８に作業員の手が巻き込まれるのを防止する。【選択図】  図２
0003216284.tif 000002
【実用新案登録請求の範囲】
【請求項１】
高所作業車に用いられるサブブーム装置のサブブーム先端部のシーブに掛けられたウインチロープに作業員の手が巻き込まれるのを防止する巻き込まれ防止装置において、
前記サブブーム先端部の根元にリングを通して巻き付けられ前記リングを前記サブブーム先端部に固定する結束バンドと、
前記ウインチロープを貫通して取り付けられ前記ウインチロープに作業員の手が巻き込まれるのを防止する保護カバーと、
一方は前記保護カバーに固定され他方は前記結束バンドにより固定された前記リングに着脱可能に取り付けられるカラビナを有し前記カラビナを介して前記保護カバーを前記結束バンドに連結する紐と、
を備えたことを特徴とする巻き込まれ防止装置。
【請求項２】
前記紐の長さは、前記保護カバーを前記ウインチロープに容易に取り付けできる長さとすることを特徴とする請求項１に記載の巻き込まれ防止装置。
【考案の詳細な説明】
【技術分野】
【０００１】
本考案は、高所作業車に用いられるサブブーム装置のサブブーム先端部のシーブに掛けられたウインチロープに作業員の手が巻き込まれるのを防止する巻き込まれ防止装置に関する。
【背景技術】
【０００２】
一般に、高所の所望位置で作業を行なう場合、伸縮・起伏・旋回等が自在なブームを搭載した高所作業車が使用されている。そして、ブームの先端部には作業員が乗る作業台が水平旋回可能に設けられ、また、ブームの先端部には旋回可能にサブブーム装置が設けられている。
【０００３】
サブブーム装置はウインチを有しており、ウインチにはウインチロープが捲回されている。一方、サブブーム装置のサブブーム先端部にはウインチロープを掛け回すことのできるシーブが取り付けられおり、ウインチからウインチロープを繰り出すことで、シーブを介してウインチロープは下方に垂れ下がった状態になる。ウインチロープの先端部にはフックが設けられこのフックに吊り荷を掛止する。
【０００４】
ここで、吊り荷の重量が過大であると、高所作業車の安全性が低下する恐れがあるので、ウインチに作用する吊り荷の荷重を荷重測定手段を備えずして高所作業車の安全の低下を未然に防止できるようにしたものがある（例えば、特許文献１参照）。これは、ウインチを駆動するモータＭに流れる電流が許容最大電流値よりも大きい場合にはモータＭに供給される電力の供給を停止させるものである。
【先行技術文献】
【特許文献】
【０００５】
【特許文献１】特開平１１−２４６１８３号公報
【考案の概要】
【考案が解決しようとする課題】
【０００６】
特許文献１のものでは、ロードセル等の荷重測定手段を備えることなく、ウィンチに過大な重量の吊り荷が作用したことを検出でき、高所作業車の安全性の低下を未然に防止することができるが、サブブーム装置のサブブーム先端部のシーブに掛けられたウインチロープに、作業員の手が巻き込まれるのを防止する機能は有していないことから、作業員が誤って手をウインチロープに巻き込まれる可能性がある。
【０００７】
本考案の目的は、作業員が誤ってウインチロープを持っても、サブブーム装置のサブブーム先端部のシーブに掛けられたウインチロープに作業員の手が巻き込まれることを防止できる巻き込まれ防止装置を提供することである。
【課題を解決するための手段】
【０００８】
請求項１の考案に係る巻き込まれ防止装置は、高所作業車に用いられるサブブーム装置のサブブーム先端部のシーブに掛けられたウインチロープに作業員の手が巻き込まれるのを防止する巻き込まれ防止装置において、前記サブブーム先端部の根元にリングを通して巻き付けられ前記リングを前記サブブーム先端部に固定する結束バンドと、前記ウインチロープを貫通して取り付けられ前記ウインチロープに作業員の手が巻き込まれるのを防止する保護カバーと、一方は前記保護カバーに固定され他方は前記結束バンドにより固定された前記リングに着脱可能に取り付けられるカラビナを有し前記カラビナを介して前記保護カバーを前記結束バンドに連結する紐とを備えたことを特徴とする。
【０００９】
請求項２の考案に係る巻き込まれ防止装置は、請求項１において、前記紐の長さは、前記保護カバーを前記ウインチロープに容易に取り付けできる長さとすることを特徴とする
【考案の効果】
【００１０】
請求項１の考案によれば、ウインチロープを貫通してウインチロープに作業員の手が巻き込まれるのを防止する保護カバーを取り付け、保護カバーをサブブーム先端部に巻き付けられた結束バンドのリングに紐で取り付けるので、作業員が誤ってウインチロープを持ったとしても、保護カバーによりウインチロープに作業員の手が巻き込まれるのを防止できる。
【００１１】
請求項２の考案によれば、紐の長さは保護カバーをウインチロープに容易に取り付けできる長さとするので、作業員は安全に保護カバーをウインチロープに取り付けることができる。
【図面の簡単な説明】
【００１２】
【図１】本考案の実施形態に係る巻き込まれ防止装置を高所作業車に適用した構成図。
【図２】本考案の実施形態に係る巻き込まれ防止装置の詳細図。
【考案を実施するための形態】
【００１３】
以下、本考案の実施形態を説明する。図１は本考案の実施形態に係る巻き込まれ防止装置を高所作業車に適用した構成図である。配電工事を行う電柱１１に近接して高所作業車１２が配置される。高所作業車１２にはブーム１３が搭載されており、このブーム１３の先端部には作業員１４が乗る作業台１５が水平旋回可能に設けられ、また、旋回可能にサブブーム装置１６が設けられている。ブーム１３は伸縮・起伏・旋回等が自在である。
【００１４】
サブブーム装置１６はウインチ１７を有しており、ウインチ１７にはウインチロープが捲回されている。サブブーム装置１６のサブブーム先端部にはウインチ１７からのウインチロープ１８を掛け回すことのできるシーブ１９が取り付けられている。ウインチ１７からウインチロープ１８を繰り出すことで、シーブ１９を介してウインチロープ１８は下方に垂れ下がった状態になり、ウインチ１７でウインチロープ１８を巻き上げることでウインチロープ１８を上方に巻き上げる。ウインチロープ１８の先端部にはフック２０が設けられ、このフック２０に配電工事用の吊り荷が掛止される。
【００１５】
本考案の巻き込まれ防止装置２１は、結束バンド２２と、保護カバー２３と、紐２４とを備えている。結束バンド２２はサブブーム先端部の根元に巻き付けられ、保護カバー２３はウインチロープ１８を貫通して取り付けられ、紐２４は保護カバー２３と結束バンド２２とを連結する。これにより、巻き込まれ防止装置２１は作業員１４の手がウインチロープ１８に巻き込まれるのを防止する。
【００１６】
図２は本考案の実施形態に係る巻き込まれ防止装置２１の詳細図である。図２に示すように、結束バンド２２はサブブーム先端部の根元にリング２５を通して巻き付けられ、リング２５をサブブーム先端部に固定するものである。保護カバー２３は作業員が誤ってウインチロープ１８を持っても、作業員の手がウインチロープ１８に巻き込まれシーブ１９に接触することがないように保護するものである。保護カバー２３はシーブ１９から垂れ下がったウインチロープ１８を貫通して取り付けられる。保護カバー２３としては、ウインチロープ１８の軸方向に半割れの円筒体を用いる。これは、ウインチロープ１８の途中からでも保護カバー２３の取り付けを可能とするためである。これにより、ウインチロープ１８の周囲を軸方向に包囲するように装着することによって、ウインチロープ１８を貫通した状態で取り付けられる。
【００１７】
次に、紐２４は結束バンド２２と保護カバー２３とを連結するものである。紐２４の一方は保護カバー２３に固定されている。紐２４の他方にはカラビナ２６が取り付けられており、カラビナ２６により結束バンド２２のリング２５に着脱可能に取り付けられる。カラビナ２６が結束バンド２２のリング２５に装着されると、保護カバー２３は結束バンド２２に連結される。保護カバー２３をカラビナ２６により結束バンド２２のリング２５に着脱可能に取り付けるようにしたのは、高所作業車の走行時やサブブームを使用しないときには、保護カバー２３を必要としないので保護カバー２３を容易に取り外し可能とするためである、
ここで、紐２４の長さは、作業員１４が保護カバー２３をウインチロープ１８に容易に取り付けできる長さとする。実用的には２５ｃｍ〜３０ｃｍぐらいの長さが好ましい。
【００１８】
このように、本考案の実施形態の巻き込まれ防止装置２１はサブブーム装置１６に改造を加えることなく構成できる。また、その構成要素である結束バンド２２、保護カバー２３、紐２４、リング２５、カラビナ２６は、市販の部材を使用することができるので安価に製作できる。
【００１９】
以上、本考案の実施形態を説明したが、この実施形態は、例として提示したものであり、考案の範囲を限定することは意図していない。この新規な実施形態は、その他の様々な形態で実施されることが可能であり、考案の要旨を逸脱しない範囲で、種々の省略、置き換え、変更を行うことができる。この実施形態やその変形は、考案の範囲や要旨に含まれるとともに、登録実用新案請求の範囲に記載された考案とその均等の範囲に含まれる。
【符号の説明】
【００２０】
１１…電柱、１２…高所作業車、１３…ブーム、１４…作業員、１５…作業台、１６…サブブーム装置、１７…ウインチ、１８…ウインチロープ、１９…シーブ、２０…フック、２１…巻き込まれ防止装置、２２…結束バンド、２３…保護カバー、２４…紐、２５…リング、２６…カラビナ
【図１】
0003216284.tif 000003
【図２】
0003216284.tif 000004